(57)【要約】【課題】既設の水栓に容易に取り付けることができ、しかも水道の使用を簡易な構成で確実に検出することができる水栓取付型流水検知器と、この水栓取付型流水検知器を用いた見守りシステムとを提供する。【解決手段】水栓の吐水口に取り付けられる流水検知器１であって、ハウジング３と、該ハウジング３の上面部に設けられた流入口４と、該ハウジング３の下面部に設けられた流出口５と、該流入口と流出口とを連通する水路と、該水路に設けられた、該水路内の水勢によって変位する可動体１０と、該可動体に設けられたマグネット１１と、前記可動体の変位によって前記マグネットが接近離反する磁気センサ２１と、該磁気センサ２１の検出信号を送信する送信装置とを備えてなる水栓取付型流水検知器。【選択図】図１
2020134199.tif 000002
【特許請求の範囲】
【請求項１】
水栓の吐水口に取り付けられる流水検知器であって、
ハウジングと、
該ハウジングの上面部に設けられた、前記吐水口の吐出水が流入する流入口と、
該ハウジングの下面部に設けられた流出口と、
該流入口と流出口とを連通する水路と、
該水路に設けられた、該水路内の水勢によって変位する可動体と、
該可動体の変位を検出する可動体変位検出手段と、
該可動体変位検出手段の検出信号を送信する送信装置と
を備えてなる水栓取付型流水検知器。
【請求項２】
前記可動体変位検出手段は、前記可動体に設けられたマグネットと、前記可動体の変位によって該マグネットが接近離反する磁気センサとからなることを特徴とする請求項１に記載の水栓取付型流水検知器。
【請求項３】
前記可動体は、バネによって変位可能に支持されていることを特徴とする請求項１又は２に記載の水栓取付型流水検知器。
【請求項４】
請求項１ないし３のいずれか１項に記載の水栓取付型流水検知器と、
該水栓取付型流水検知器の前記送信装置からの信号を受信する受信装置と、
複数の該受信装置から通信手段を介して信号を受信してデータ収集する第１のサーバと、
該第１のサーバから通信手段を介してデータを受け取る第２のサーバと
を備えてなる見守りシステムであって、
該第２のサーバは、流水が第１所定時間以上検出されないこと又は流水が第２所定時間以上継続することに基づいて異常の有無を判定し、異常ありと判定された場合にアラームを送信する
見守りシステム。
【発明の詳細な説明】
【技術分野】
【０００１】
本発明は、水栓に取り付けられる流水検知器と、この流水検知器を備えた見守りシステムとに関する。
【背景技術】
【０００２】
一人住いの高齢者等の見守りシステムとして、水道の使用、不使用状況を検知して緊急事態を報告するシステムが多数提案されている（例えば特許文献１〜３）。しかしながら、上記の見守りシステムでは、水道の使用検知センサを水道メータに設置しており、既存の水道設備に容易に設置することはできない。
【０００３】
特許文献４には、水道管からの音をマイクロホンで検知し、周波数分析して水道の使用を判別して見守りシステムに送信することが記載されているが、構成が複雑で価格も高いものとなる。
【０００４】
特許文献５には、水道管表面に振動センサを設け、流水に伴う微弱な振動を電気信号に変換し、見守りシステムに信号を送ることが記載されているが、同様に高価であり、また外来の各種振動に起因した誤検知のおそれも大きい。
【先行技術文献】
【特許文献】
【０００５】
【特許文献１】特開２００３−１４１６６７号公報
【特許文献２】特開２０１７−１０４２２号公報
【特許文献３】特開２０１４−２３２４６１号公報
【特許文献４】特開２０１６−１４５７５０号公報
【特許文献５】特開２００１−６０７２号公報
【発明の概要】
【発明が解決しようとする課題】
【０００６】
本発明は、既設の水栓に容易に取り付けることができ、しかも水道の使用を簡易な構成で確実に検出することができる水栓取付型流水検知器と、この水栓取付型流水検知器を用いた見守りシステムとを提供することを目的とする。
【課題を解決するための手段】
【０００７】
本発明の水栓取付型流水検知器は、水栓の吐水口に取り付けられる流水検知器であって、ハウジングと、該ハウジングの上面部に設けられた、前記吐水口の吐出水が流入する流入口と、該ハウジングの下面部に設けられた流出口と、該流入口と流出口とを連通する水路と、該水路に設けられた、該水路内の水勢によって変位する可動体と、該可動体の変位を検出する可動体変位検出手段と、該可動体変位検出手段の検出信号を送信する送信装置とを備える。
【０００８】
本発明の一態様では、前記可動体変位検出手段は、前記可動体に設けられたマグネットと、前記可動体の変位によって該マグネットが接近離反する磁気センサとからなる。
本発明の一態様では、前記可動体は、バネによって変位可能に支持されている。
【０００９】
本発明の見守りシステムは、かかる本発明の水栓取付型流水検知器と、該水栓取付型流水検知器の前記送信装置からの信号を受信する受信装置と、複数の該受信装置から通信手段を介して信号を受信してデータ収集する第１のサーバと、該第１のサーバから通信手段を介してデータを受け取る第２のサーバとを備えてなる見守りシステムであって、該第２のサーバは、流水が第１所定時間以上検出されないこと又は流水が第２所定時間以上継続することに基づいて異常の有無を判定し、異常ありと判定された場合にアラームを送信する。
【発明の効果】
【００１０】
本発明の水栓取付型流水検知器は、既設の水栓に対し、水栓への取付部によって簡単に取り付けることができる。本発明の流水検知器は、内部に水が流れると、バネ片が振動し、該バネ片に設けられたマグネットが磁気センサと接近離反し、該磁気センサ出力が変動することにより、流水が生じたことすなわち水栓が使用されたことが検知される。
【００１１】
この水栓取付型流水検知器は、構成が簡易であり、低コストである。
【図面の簡単な説明】
【００１２】
【図１】実施の形態に係る水栓取付型流水検知器の斜視図である。
【図２】可動体の構成を示す分解斜視図である。
【図３】実施の形態に係る見守りシステムのブロック図である。
【図４】実施の形態に係る見守りシステムの作動を示すフローチャートであるる
【発明を実施するための形態】
【００１３】
以下、図面を参照して実施の形態について説明する。図１の通り、水栓取付型流水検知器１は水栓の吐水管２の先端の吐水口２ａに取り付けて使用される。
【００１４】
この水栓取付型流水検知器１では、ハウジング３の上面に流入口４が設けられ、下面に流出口５が設けられている。流入口４には付属ナット６が螺着されている。この水栓取付型流水検知器１の吐水口２ａの取り付け構造は、市販の吐水管取り付け型浄水器と同様であり、ナット６を緩めて吐水口２ａに差し込み、該ナット６を締め込むことにより行われる。ナット６を締め込むと、リング状のアダプタ（図示略）が締め付けられて縮径し、吐水口２ａの先端外周を周回する凸条よりなる縁部２ｂがアダプタとハウジング３側のパッキン（図示略）との間で挟持され、水栓取付型流水検知器１が吐水口２ａに固定される。
【００１５】
ハウジング３内には、流入口４と流出口５とを連通する水路としてのチャンバ（図示略）が設けられている。流入口４はチャンバの天井面部分に臨んでおり、流出口５はチャンバの底面部分に臨んでいる。
【００１６】
このチャンバ内に、図２の通り、可動体１０とベースプレート１２とが配置されている。該可動体１０にマグネット１１が取り付けられている。この可動体１０は、ベースプレート１２にコイルバネ１６を介して支持されている。
【００１７】
この実施の形態では、可動体１０及びベースプレート１２は、それぞれ、略長方形の板状である。ベースプレート１２は、ビス１３によってチャンバの底面に上向きに固定されている。ベースプレート１２から上方にガイドコラム１４が立設されており、このガイドコラム１４の外周を取り巻くようにコイルバネ１６が配置されている。
【００１８】
可動体１０の上面からは略直方体形状のガイドブロック１０ａが立設されている。このガイドブロック１０ａは、チャンバの天井面に設けられた略直方体形状の凹穴に摺動自在に嵌合し、可動体１０の上下動を案内するように構成されている。
【００１９】
前記コイルバネ１６は、可動体１０とベースプレート１２との間に蓄圧状態で介在されている。チャンバ内に水が流れると、水勢によって可動体１０がコイルバネ１６の上向き押圧力に抗して押し下げられる。チャンバ内を水が流れなくなると、可動体１０がコイルバネ１６に押されて元位置へ上昇する。この元位置にあっては、可動体１０がチャンバの天井面部分に当接している。
【００２０】
チャンバの天井面のうち、マグネット１１の上方位置に、磁気センサとしてのリードスイッチ２１（図３）が設けられている。可動体１０が上昇限（上記の元位置）まで上昇した流水停止状態にあっては、マグネット１１がリードスイッチ２１に近接しており、リードスイッチ２１がＯＮ状態となっている。チャンバ内を水が流れると、水勢に押されて可動体１０が下降し、マグネット１１がリードスイッチ２１から離反し、リードスイッチ２１がＯＦＦとなる。ハウジング３内には、このリードスイッチ２１の信号の増幅回路２２及び後述の発信部２３等を構成する回路を搭載した回路基板と、電源（この実施の形態では乾電池）とが設置されている。
【００２１】
このリードスイッチ２１のＯＮ，ＯＦＦが増幅回路２２で増幅されて近接通信の発信部２３に出力され、通信の受信部２４に送信される。受信部２４は、前記水栓を設置した建物内、もしくは建物外に設置されている。
【００２２】
受信部２４で受信された信号は、インターネットその他の通信手段２５を介して見守りシステムの第１のサーバ３０に送信される。この信号は、水栓利用者のＩＤと、リードスイッチ２１のＯＮ，ＯＦＦに基づく流水信号とを含む。サーバ３０には、多数の水栓取付型流水検知器１から信号が送信される。
【００２３】
第１のサーバ３０及び後述の第２のサーバ３２は、ＣＰＵ（中央演算処理装置）や、フラッシュメモリ、ＲＯＭ（Ｒｅａｄ−ｏｎｌｙ  Ｍｅｍｏｒｙ）、ＲＡＭ（Ｒａｎｄｏｍ  Ａｃｃｅｓｓ  Ｍｅｍｏｒｙ）、ハードディスク等からなるコンピュータである。
【００２４】
第１のサーバ３０は、利用者のＩＤ毎のデータの収集を行う。各利用者のデータは、第１のサーバ３０からインターネットその他の通信手段３１を介して第２のサーバ３２に送信され、第２のサーバ３２にて異常判定、データ蓄積及びアラーム送信が行われる。
【００２５】
第２のサーバ３２は、流水停止が第１所定時間以上継続した場合、及び流水が第２所定時間以上継続した場合には、それぞれ異常が生じたものと判定し、その他の場合には異常はないものと判定する。
【００２６】
図４の通り、異常ありと判定された場合には、所定の相手先３４（例えば、家族や自治体、警備会社など）にアラームがインターネット、電話回線などの通信手段３３を介して送信される。
【００２７】
この見守りシステムにあっては、前記水栓取付型流水検知器１の構成が簡易で機材コストが安い。また、水栓取付型流水検知器１は、既設の水栓に対しても簡単に取り付け（後付け）できるものであり、施工コストも極めて安価である。さらに、サーバにおける異常判定方法もシンプルであり、プログラム構築コストが低い。
【符号の説明】
【００２８】
１  水栓取付型流水検知器
２  吐水管
３  ハウジング
４  流入口
５  流出口
６  ナット
１０  可動体
１１  マグネット
２１  リードスイッチ
３０  第１のサーバ
３２  第２のサーバ
【図１】
2020134199.tif 000003
【図２】
2020134199.tif 000004
【図３】
2020134199.tif 000005
【図４】
2020134199.tif 000006